(57)【要約】  本発明の掃除機は、吸入力を発生させるための吸入モータを備える本体と、前記吸入モータの制御命令を生成できるメインＰＣＢと、前記メインＰＣＢを収容できるハンドル部と、前記本体に備えられ、前記ハンドル部が前記本体に結合される過程で前記メインＰＣＢが連結されるコネクタとを含む。前記メインＰＣＢは、複数のパッドとスリットを備え、前記コネクタは、前記複数のパッドと接触するための複数のコネクティングピンと、前記スリットに挿入されるスリット挿入突起とを含む。【選択図】  図５
2019523106.tif 000002
【特許請求の範囲】
【請求項１】
掃除機であって、
吸入力を発生させるための吸入モータを備える本体と、
前記吸入モータの制御命令を生成できるメインＰＣＢと、
前記メインＰＣＢを収容できるハンドル部と、
前記本体に備えられ、前記ハンドル部が前記本体に結合される過程で前記メインＰＣＢが連結されるコネクタと、を備えてなり、
前記メインＰＣＢは、複数のパッドとスリットを備え、
前記コネクタは、前記複数のパッドと接触するための複数のコネクティングピンと、前記スリットに挿入されるスリット挿入突起とを備えてなる、掃除機。
【請求項２】
前記スリットは、前記複数のパッドにおいて隣接する２つのパッドの間の領域に位置される、請求項１に記載の掃除機。
【請求項３】
前記コネクタは、相互離隔する第１コネクティングボディ及び第２コネクティングボディと、
前記第１コネクティングボディと前記第２コネクティングボディを連結する連結ボディと、
前記第１コネクティングボディと前記第２コネクティングボディの間に形成されるＰＣＢ収容空間と、を備えてなり、
前記スリット挿入突起は、前記ＰＣＢ収容空間に位置される、請求項１に記載の掃除機。
【請求項４】
前記連結ボディは、前記第１コネクティングボディと前記第２コネクティングボディの下側を連結し、
前記メインＰＣＢは、前記ＰＣＢ収容空間の上方から下方に前記ＰＣＢ収容空間に収容される、請求項３に記載の掃除機。
【請求項５】
前記スリット挿入突起は、前記連結ボディから前記ＰＣＢ収容空間に突出する、請求項３に記載の掃除機。
【請求項６】
前記スリット挿入突起は、前記第１コネクティングボディと第２コネクティングボディのうちいずれか１つから他の１つに向かって突出する、請求項３に記載の掃除機。
【請求項７】
前記スリット挿入突起は、前記第１コネクティングボディと第２コネクティングボディを連結する、請求項３に記載の掃除機。
【請求項８】
前記複数のパッドは、前記メインＰＣＢの第１面に位置され、相互離隔する第１パッド及び第２パッドと、
前記メインＰＣＢの第１面と反対面である第２面に位置され、相互離隔する第３パッド及び第４パッドと、を備えてなり、
前記スリットは、前記第１パッドと前記第２パッドの間の領域及び前記第３パッドと前記第４パッドの間の領域に位置される、請求項２に記載の掃除機。
【請求項９】
前記第１パッドと前記第３パッドは、相互対向するように配置され、
前記第２パッドと前記第４パッドは、相互対向するように配置される、請求項８に記載の掃除機。
【請求項１０】
前記複数のコネクティングピンは、
前記第１コネクティングボディに備えられ、相互離隔する第１コネクティングピン及び第２コネクティングピンと、
前記第２コネクティングボディに備えられ、相互離隔する第３コネクティングピン及び第４コネクティングピンと、を備えてなり、
前記スリット挿入突起は、前記第１コネクティングピンと前記第２コネクティングピンとの間の領域及び前記第３コネクティングピンと前記第４コネクティングピンと間の領域に位置される、請求項８に記載の掃除機。
【請求項１１】
前記第１コネクティングピンと前記第３コネクティングピンは、相互対向するように配置され、
前記第２コネクティングピンと前記第４コネクティングピンは、相互対向するように配置される、請求項１０に記載の掃除機。
【請求項１２】
前記複数のコネクティングピンのそれぞれの一部は、前記各コネクティングボディの内部に位置され、他の一部は、前記各コネクティングボディから前記ＰＣＢ収容空間に突出する、請求項３に記載の掃除機。
【請求項１３】
前記複数のコネクティングピンのそれぞれは、弾性変形可能な伝導体である、請求項３に記載の掃除機。
【請求項１４】
前記メインＰＣＢは、相互離隔する第１ＰＣＢと第２ＰＣＢを備えてなり、
前記第１ＰＣＢと前記第２ＰＣＢのいずれか１つが前記コネクタと連結される、請求項１に記載の掃除機。
【請求項１５】
前記メインＰＣＢは、前記ハンドル部に立てられた状態で設置される、請求項１に記載の掃除機。
【発明の詳細な説明】
【技術分野】
【０００１】
本発明は、掃除機に関するものである。
【背景技術】
【０００２】
掃除機は、掃除対象領域の埃や異物を吸入したり拭いて掃除を行う機器である。
【０００３】
このような掃除機は、使用者が直接掃除機を移動させながら掃除を行う手動掃除機と、自ら走行しながら掃除を行う自動掃除機とに区分することができる。
【０００４】
また、手動掃除機は、掃除機の形態に応じて、キャニスター型掃除機、アップライト型掃除機、ハンディ型掃除機、スティック型掃除機等に区分することができる。
【０００５】
先行文献である韓国登録特許公報第１０‐１１２７０８８号(登録日２０１２.０３.０８.)には、ハンドヘルド真空掃除機が開示される。
【０００６】
前記ハンドヘルド真空掃除機は、吸入管と、気流生成器、遠心分離装置、電源及びハンドルを含む。
【０００７】
前記ハンドルには、吸入モータとバッテリーに連結されるＰＣＢが位置される。
【０００８】
ところが、先行文献によれば、前記ハンドルの上側に気流生成器が位置され、下側に電源が位置されるので、前記ハンドルの内部空間が狭い問題があり、これによって、前記ＰＣＢを設置するための構造が複雑で、ＰＣＢを設置するための作業が難しい問題がある。
【発明の概要】
【発明が解決しようとする課題】
【０００９】
本発明の目的は、メインＰＣＢが組立てられたハンドル部とコネクティングピンを備える本体を連結する過程で、組立て時間が減る掃除機を提供することにある。
【００１０】
また、本発明の目的は、メインＰＣＢが組立てられたハンドル部とコネクティングピンを備える本体が連結された状態で、メインＰＣＢのパッドとコネクティングピンの間の誤組立によるパッド間のショートが防止される掃除機を提供することにある。
【００１１】
また、本発明の目的は、ハンドル内にメインＰＣＢが容易に設置される掃除機を提供することにある。
【課題を解決するための手段】
【００１２】
一側面による掃除機は、吸入力を発生させるための吸入モータを備える本体と、前記吸入モータの制御命令を生成できるメインＰＣＢと、前記メインＰＣＢを収容できるハンドル部と、前記本体に備えられ、前記ハンドル部が前記本体に結合される過程で前記メインＰＣＢが連結されるコネクタとを含む。
【００１３】
前記メインＰＣＢは、複数のパッドとスリットを含み、前記コネクタは、前記複数のパッドと接触するための複数のコネクティングピンと、前記スリットに挿入されるスリット挿入突起とを含む。
【００１４】
前記スリットは、前記複数のパッドにおいて隣接する２つのパッドの間の領域に位置される。
【００１５】
前記コネクタは、相互離隔する第１コネクティングボディ及び第２コネクティングボディと、前記第１コネクティングボディと前記第２コネクティングボディを連結する連結ボディと、前記第１コネクティングボディと前記第２コネクティングボディの間に形成されるＰＣＢ収容空間を含むことができる。
【００１６】
前記スリット挿入突起は、前記ＰＣＢ収容空間に位置される。
【００１７】
前記連結ボディは、前記第１コネクティングボディと前記第２コネクティングボディの下側を連結し、前記メインＰＣＢは、前記ＰＣＢ収容空間の上方から下方に前記ＰＣＢ収容空間に収容される。
【００１８】
前記スリット挿入突起は、前記連結ボディから前記ＰＣＢ収容空間に突出する。
【００１９】
前記スリット挿入突起は、前記第１コネクティングボディと第２コネクティングボディのうちいずれか１つから他の１つに向かって突出する。
【００２０】
前記スリット挿入突起は、前記第１コネクティングボディと第２コネクティングボディを連結することができる。
【００２１】
前記複数のパッドは、前記メインＰＣＢの第１面に位置され、相互離隔する第１パッド及び第２パッドと、前記メインＰＣＢの第１面と反対面である第２面に位置され、相互離隔する第３パッド及び第４パッドを含むことができる。
【００２２】
前記スリットは、前記第１パッドと前記第２パッドの間の領域及び前記第３パッドと前記第４パッドの間の領域に位置される。
【００２３】
前記第１パッドと前記第３パッドは、相互対向するように配置され、前記第２パッドと前記第４パッドは、相互対向するように配置される。
【００２４】
前記複数のコネクティングピンは、前記第１コネクティングボディに備えられ、相互離隔する第１コネクティングピン及び第２コネクティングピンと、前記第２コネクティングボディに備えられ、相互離隔する第３コネクティングピン及び第４コネクティングピンを含むことができる。
【００２５】
前記スリット挿入突起は、前記第１コネクティングピンと前記第２コネクティングピンとの間の領域及び前記第３コネクティングピンと前記第４コネクティングピンと間の領域に位置される。
【００２６】
前記第１コネクティングピンと前記第３コネクティングピンは、相互対向するように配置され、前記第２コネクティングピンと前記第４コネクティングピンは、相互対向するように配置される。
【００２７】
前記複数のコネクティングピンのそれぞれの一部は、前記各コネクティングボディの内部に位置され、他の一部は、前記各コネクティングボディから前記ＰＣＢ収容空間に突出する。
【００２８】
前記複数のコネクティングピンのそれぞれは、弾性変形可能な伝導体からなることができる。
【００２９】
前記メインＰＣＢは、相互離隔する第１ＰＣＢと第２ＰＣＢを含み、前記第１ＰＣＢと前記第２ＰＣＢのいずれか１つが前記コネクタと連結される。
【００３０】
前記メインＰＣＢは、前記ハンドル部に立てられた状態で設置される。
【発明の効果】
【００３１】
提案される発明によれば、メインＰＣＢがスリットを含み、コネクタにスリット挿入突起が形成されるので、メインＰＣＢとコネクタの結合精度が向上する長所がある。
【００３２】
また、コネクタが２つのコネクティングボディを含み、２つのコネクティングボディの間のＰＣＢ収容空間にメインＰＣＢが挿入され、前記スリット挿入突起が前記メインＰＣＢのスリットに収容されるように構成されるので、前記メインＰＣＢと前記コネクタの固定のためのフックのような追加的な固定手段が不必要な長所がある。
【００３３】
また、前記ハンドル部が前記本体に対してスライディングされる過程で、前記メインＰＣＢが前記コネクタに連結されるので、前記メインＰＣＢをコネクタに連結するための過程が不必要な長所がある。
【００３４】
また、メインＰＣＢを構成する一ＰＣＢの両面にパッドが備えられ、前記一ＰＣＢを２つのコネクティングボディの間に挿入するので、一ＰＣＢの両面のパッドのうちの一面のパッドがコネクティングピンに連結されさえすれば、信号伝達が可能であるので、メインＰＣＢとコネクタの連結精度が向上する。
【００３５】
また、メインＰＣＢが２つのＰＣＢに区分された状態でハンドルボディ内に収容されるので、メインＰＣＢのサイズが減る長所がある。
【００３６】
また、２つのＰＣＢをＰＣＢコネクタに連結した状態で、メインＰＣＢ組立体をハンドルボディの収容空間に挿入させる過程で前記メインＰＣＢ組立体が前記ハンドルボディに結合される。よって、２つのＰＣＢを相互固定するための構造及び２つのＰＣＢを前記ハンドルボディに固定するための構造が簡単となり、使用者の組立過程が容易である長所がある。
【図面の簡単な説明】
【００３７】
【図１】本発明の一実施例に係る掃除機の斜視図。
【図２】本発明の一実施例に係る掃除機の側面図。
【図３】本発明の一実施例に係る掃除機の平面図。
【図４】本発明の一実施例に係る掃除機を下側から見た斜視図。
【図５】本発明の一実施例に係る掃除機の縦断面図。
【図６】本発明の一実施例に係る本体においてハンドル部が分離された状態を見せる図面。
【図７】本発明の一実施例に係るハンドル部の斜視図。
【図８】本発明の一実施例に係るメインＰＣＢユニットの斜視図。
【図９】図８のメインＰＣＢユニットの正面図。
【図１０】図８のメインＰＣＢユニットの分解斜視図。
【図１１】図８のメインＰＣＢユニットの分解斜視図。
【図１２】本発明のＰＣＢコネクタの斜視図。
【図１３】本発明の一実施例に係るコネクタの斜視図。
【図１４】図１３のコネクタの平面図。
【図１５】メインＰＣＢユニットがコネクタと連結された状態を見せる斜視図。
【図１６】第２ＰＣＢとコネクタが連結された状態を見せる断面図。
【図１７】本発明の一実施例に係るハンドルボディの斜視図。
【図１８】ハンドルの内部構造を見せる断面図。
【図１９】ハンドルボディにメインＰＣＢユニットが結合された状態の断面図。
【図２０】ハンドルボディにメインＰＣＢユニットが結合された状態でパワーＰＣＢが支持リブに安着した様子を見せる図面。
【図２１】図２０の状態でハンドルカバー及び操作部が結合される様子を見せる図面。
【図２２】本発明の一実施例に係るハンドル部の組立が完了した状態で、ハンドル部が本体に結合される様子を見せる図面。
【発明を実施するための形態】
【００３８】
以下、本発明の一部実施例を例示的な図面を参照して詳しく説明する。各図面において、同じ構成要素に対しては同じ符号を付する。また、本発明の実施例の説明において、係る公知構成または機能に対する具体的な説明が、本発明の実施例の理解を妨害すると判断される場合には、その詳細な説明は省略する。
【００３９】
また、本発明の実施例の構成要素の説明において、第１、第２、Ａ、Ｂ、(ａ)、(ｂ)等の用語を用いることができる。このような用語は、その構成要素を他の構成要素と区別するためのものであり、その用語によって当該構成要素の本質または順序などが限定されるものではない。ある構成要素が他の構成要素に「連結」、「結合」または「接続」されると記載された場合、その構成要素は他の構成要素に直接的に連結または接続される場合と、各構成要素の間にさらに他の構成要素が「連結」、「結合」または「接続」される場合を全て含む。
【００４０】
図１は本発明の一実施例に係る掃除機の斜視図であり、図２は本発明の一実施例に係る掃除機の側面図であり、図３は本発明の一実施例に係る掃除機の平面図であり、図４は本発明の一実施例に係る掃除機を下側から見た斜視図であり、図５は本発明の一実施例に係る掃除機の縦断面図である。
【００４１】
図１〜図５を参照すると、本発明の一実施例に係る掃除機１は、本体２を含むことができる。
【００４２】
前記掃除機１は、前記本体２の前側に結合される吸入部５をさらに含むこができる。前記吸入部５は、埃を含む空気を前記本体２に案内することができる。
【００４３】
前記掃除機１は、前記本体２に結合されるハンドル部３をさらに含むことができる。前記ハンドル部３は、前記本体２で前記吸入部５の反対側に位置される。
【００４４】
即ち、前記吸入部５と前記ハンドル部３との間に前記本体２が配置される。
【００４５】
前記本体２は、第１ボディ１０と、前記第１ボディ１０の上側に位置される第２ボディ１２を含むことができる。前記第１ボディ１０と前記第２ボディ１２は、直接結合されるか、中間の媒介部材によって間接的に連結される。
【００４６】
前記第１ボディ１０と前記第２ボディ１２は、限定されるものではないが、円筒状に形成される。
【００４７】
そして、前記第１ボディ１０と前記第２ボディ１２のそれぞれは、上側及び下側が開口される。即ち、前記各ボディ１０、１２は、上側開口及び下側開口を含むことができる。
【００４８】
そして、前記吸入部５の中央部が概略的に前記第１ボディ１０と前記第２ボディ１２の境界部に位置されるように、前記吸入部５が前記本体２に結合される。
【００４９】
前記本体２は、前記吸入部５を通じて吸入された空気から埃を分離させる埃分離部をさらに含むことができる。
【００５０】
前記埃分離部は、一例としてサイクロン流動によって埃を分離できる第１サイクロン部１１０を含むことができる。このとき、前記第１ボディ１０が前記第１サイクロン部１１０を含む。
【００５１】
前記吸入部５を通じて吸入される空気と埃は、前記第１サイクロン部１１０の内周面に沿って螺旋流動することになる。
【００５２】
前記第１サイクロン部１１０のサイクロン流動軸は、上下方向に延長される。
【００５３】
前記埃分離部は、前記第１サイクロン部１１０から排出された空気から埃を再度分離する第２サイクロン部１３０をさらに含むことができる。このとき、前記埃分離部のサイズが最小化されるように、前記第２サイクロン部１３０は、前記第１サイクロン部１１０の内部に位置される。前記第２サイクロン部１３０は、並列に配置される複数のサイクロンボディを含むことができる。
【００５４】
別の例として、前記埃分離部が単一のサイクロン部を有してもよく、この場合にも、前記サイクロン流動軸は、上下方向に延長される。
【００５５】
前記第１ボディ１０は、前記各サイクロン部１１０、１３０で分離された埃を貯蔵するダストボックス役割をする。
【００５６】
前記本体２は、前記第１ボディ１０の下側を開閉するボディカバー１６をさらに含むことができる。前記ボディカバー１６は、回転動作によって前記第１ボディ１０を開閉することができる。前記第１ボディ１０には、前記ボディカバー１６の回転のために操作するボタン１８が備えられる。
【００５７】
前記ボディカバー１６のヒンジ１６２は、バッテリーハウジング６０に備えられたヒンジ結合部６２０に結合される。
【００５８】
前記第２サイクロン部１３０の少なくとも一部は、前記第１ボディ１０内に位置される。
【００５９】
前記第１ボディ１０内には、前記第２サイクロン部１３０で分離された埃を貯蔵をガイドする埃貯蔵ガイド１２４が配置される。前記埃貯蔵ガイド１２４は、前記第２サイクロン部１３０の下側に結合され、前記ボディカバー１６の上面に接触することができる。
【００６０】
前記埃貯蔵ガイド１２４は、前記第１ボディ１０の内部の空間を、前記第１サイクロン部１１０で分離された埃が貯蔵される第１埃貯蔵部１２１と、前記第２サイクロン部１３０で分離された埃が貯蔵される第２埃貯蔵部１２３に区画することができる。
【００６１】
前記埃貯蔵ガイド１２４の内部空間が前記第２埃貯蔵部１２３であり、前記埃貯蔵ガイド１２４と前記第１ボディ１０の間の空間が第１埃貯蔵部１２１である。
【００６２】
前記ボディカバー１６は、前記第１埃貯蔵部１２１と前記第２埃貯蔵部１２３を一緒に開閉することができる。
【００６３】
前記掃除機１は、吸入力を発生させるための吸入モータ２０と、前記吸入モータ２０に電源を供給するためのバッテリー４０をさらに含むことができる。
【００６４】
前記吸入モータ２０は、前記第２ボディ１２内に位置される。そして、前記吸入モータ２０の少なくとも一部は、前記埃分離部の上側に位置される。よって、前記吸入モータ２０は、前記第１ボディ１０の上方に位置される。
【００６５】
前記吸入モータ２０は、前記第２サイクロン部１３０の排出口と連通する。
【００６６】
このために、前記本体２は、前記第２サイクロン部１３０と連結される排出ガイド２８と、前記排出ガイド２８と連通する流動ガイド２２をさらに含むことができる。
【００６７】
一例として、前記排出ガイド２８は、前記第２サイクロン部１３０の上側に位置され、前記流動ガイド２２は、前記排出ガイド２８の上側に位置される。
【００６８】
そして、前記吸入モータ２０の少なくとも一部は、前記流動ガイド２２内部に位置される。
【００６９】
よって、前記埃分離部のサイクロン流動軸は、前記吸入モータ２０を貫通することができる。
【００７０】
前記吸入モータ２０が前記第２サイクロン部１３０の上側に位置されると、前記第２サイクロン部１３０から排出された空気が直ちに前記吸入モータ２０側に流動することができ、前記埃分離部と前記吸入モータ２０との間の流路が最小化される。
【００７１】
前記吸入モータ２０は、回転動作するインペラ２００を含むことができる。前記インペラ２００は、シャフト２０２に連結される。前記シャフト２０２は上下方向に延長されるように配置される。
【００７２】
前記シャフト２０２の延長線(インペラ２００の回転軸と称することもできる)は、前記第１ボディ１０を通過することができる。このとき、前記インペラ２００の回転軸と前記埃分離部の第１サイクロン部１１０で発生するサイクロン流動軸は、同一線上に位置される。
【００７３】
本発明によれば、前記埃分離部から排出された空気、即ち、第２サイクロン部１３０から上方に排出された空気が前記吸入モータ２０側に流動する経路が減り、空気の方向変化が減って空気の流動損失が減少する長所がある。
【００７４】
空気の流動損失が減少する場合、吸入力が増加し、前記吸入モータ２０に電源を供給するためのバッテリー４０の使用時間が増加する。
【００７５】
前記掃除機１は、前記吸入モータ２０の上側一部をカバーする上部モータハウジング２６と、前記吸入モータ２０の下側一部をカバーする下部モータハウジング２７をさらに含むことができる。前記吸入モータ２０は、前記各モータハウジング２６の内部に収容され、前記流動ガイド２２は、前記上部モータハウジング２６を取囲むように配置される。
【００７６】
前記流動ガイド２２の少なくとも一部は、前記上部モータハウジング２６と離隔する。また、前記流動ガイド２２の少なくとも一部は、前記第２ボディ１２と離隔する。
【００７７】
よって、前記流動ガイド２２の内周面と前記上部モータハウジング２６の外周面は第１空気流路２３２を形成し、前記流動ガイド２２の外周面と前記第２ボディ１２の内周面は第２空気流路２３４を形成する。
【００７８】
前記第２サイクロン部１３０から排出された空気は、前記第１空気流路２３２に沿って前記吸入モータ２０に流動し、前記吸入モータ２０から排出された空気は、前記第２空気流路２３４に沿って流動した後外部に排出される。よって、前記第２空気流路２３４は、排気流路の役割をする。
【００７９】
前記ハンドル部３は、使用者の把持のためのハンドル３０と、前記ハンドル３０の下側に配置されるバッテリーハウジング６０を含むことができる。
【００８０】
前記ハンドル３０は、前記吸入モータ２０の後方に位置される。
【００８１】
方向に対して定義すると、前記掃除機１で前記吸入モータ２０を基準に、前記吸入部５が位置する方向が前方であり、前記ハンドル３０が位置する方向が後方である。
【００８２】
前記バッテリー４０は、前記第１ボディ１０の後方に位置される。よって、前記吸入モータ２０と前記バッテリー４０は、上下方向に重ならないように配置され、配置高さも異なるように配置される。
【００８３】
このような本発明によれば、前記ハンドル３０を基準に、重さが重い吸入モータ２０が前記ハンドル３０の前方に位置され、重さが重いバッテリー４０が前記ハンドル３０の下方に位置されるので、前記掃除機１全体的に重さが均等に分配される。使用者が前記ハンドル３０を握って掃除をするとき、使用者の手首に負担がかかることが防止される。即ち、掃除機１の前側と後側に重さが重い構成が分散配置され、かつ相互異なる高さに配置されるので、掃除機１の重心がいずれかの一方に傾くことが防止される。
【００８４】
前記バッテリー４０が前記ハンドル３０の下方に位置され、前記吸入モータ２０は前記ハンドル３０の前方に位置されるので、前記ハンドル３０の上方には何の構成も存在しなくなる。即ち、前記ハンドル３０の上面は、前記掃除機１の上面一部外観を形成する。
【００８５】
よって、前記ハンドル３０を握って使用する過程で、掃除機１の一構成が使用者の腕に接触することが防止される。
【００８６】
前記ハンドル３０は、上下方向に延長され、使用者が掴むことができる第１延長部３１０と、前記第１延長部３１０の上側から前記吸入モータ２０に向かって延長される第２延長部３２０を含むことができる。前記第２延長部３２０は、少なくとも一部が水平方向に延長される。
【００８７】
本発明で、前記第１延長部３１０は使用者が掴むことができる部分(使用者の手のひらが接触できる部分)として、グリップ部ともいうことができる。
【００８８】
前記第１延長部３１０には、使用者が前記第１延長部３１０を握った状態で手が前記第１延長部３１０の長さ方向(図２では上下方向)に移動することを防止するための移動制限部３１２が備えられる。前記移動制限部３１２は、前記第１延長部３１０から前記吸入部５に向かって延長される。
【００８９】
前記移動制限部３１２は、前記第２延長部３２０と離隔して配置される。よって、前記第１延長部３１０を把持した状態で、一部指は前記移動制限部３１２の上方に位置され、残りの指は前記移動制限部３１２の下方に位置される。
【００９０】
一例として、人差し指と中指の間に前記移動制限部３１２が位置される。
【００９１】
このような配置によれば、使用者が前記第１延長部３１０を把持した状態で、前記吸入部５の長さ方向の軸Ａ１が使用者の手首を通ることができる。
【００９２】
前記吸入部５の長さ方向の軸Ａ１が使用者の手首を通る場合、使用者の腕が伸ばされた状態で、前記吸入部５の長さ方向の軸Ａ１は使用者の腕の延長方向と実質的に並ぶことになる。よって、このような状態では、使用者が前記ハンドル３０を握って掃除機１を押引きするときに必要な使用者の力が最小化される長所がある。
【００９３】
前記ハンドル３０は、操作部３９０を含むことができる。一例として、前記操作部３９０は、前記第２延長部３２０に形成される傾斜面に位置される。前記操作部３９０を通じて吸入モータ２０の制御命令を入力することができる。一例として、前記操作部３９０を利用して前記吸入モータ２０のオン命令及びオフ命令を入力することができる。また、前記操作部３９０を通じて、前記吸入モータ２０がオンした状態で吸入モータ２０の吸入力の強度を調節することができる。
【００９４】
前記操作部３９０は、使用者に向かうように配置される。前記ハンドル３０を基準に、前記操作部３９０は、前記移動制限部３１２の反対側に位置される。
【００９５】
前記操作部３９０は、前記移動制限部３１２より高く位置される。よって、使用者が前記第１延長部３１０を握った状態で、親指で容易に前記操作部３９０を操作することができる。
【００９６】
また、前記第１延長部３１０から離れた位置に前記操作部３９０が位置されるので、前記第１延長部３１０を把持した状態で掃除を行うとき、意図せず前記操作部３９０が操作されることが防止される。
【００９７】
前記バッテリーハウジング６０は、前記第１延長部３１０の下側に位置される。
【００９８】
前記バッテリー４０は、前記バッテリーハウジング６０に分離可能に収容される。
【００９９】
一例として、前記バッテリー４０は、前記バッテリーハウジング６０の下方から前記バッテリーハウジング６０の内部に挿入される。
【０１００】
前記バッテリーハウジング６０の後面と前記第１延長部３１０の後面は、連続的な面を形成することができる。よって、前記バッテリーハウジング６０と前記第１延長部３１０が一体感を有することができる。
【０１０１】
前記バッテリー４０が前記バッテリーハウジング６０に収容された状態で、前記バッテリー４０の下面が外部に露出する。よって、前記掃除機１を床に置くとき前記バッテリー４０が床に置かれる。
【０１０２】
このような構造によれば、前記バッテリー４０を前記バッテリーハウジング６０から直ちに分離できる長所がある。
【０１０３】
また、前記バッテリー４０の下面が外部に露出するので、前記バッテリー４０の下面が掃除機１の外部の空気と直接接触でき、前記バッテリー４０の冷却性能が向上する。
【０１０４】
前記バッテリーハウジング６０は、前記バッテリー４０が前記バッテリーハウジング６０に装着された状態でね前記バッテリー４０を充電させるための充電台連結端子６２８をさらに含むことができる。前記掃除機１を図示されない充電台に安着させると、前記充電台の端子が前記充電台連結端子６２８と接触することができる。
【０１０５】
前記バッテリーハウジング６０には、前記バッテリーハウジング６０に収容されたバッテリー４０内に備えられるバッテリー端子４９０と結合されるためのバッテリー連結端子６７０が備えられる。前記バッテリー連結端子６７０は、前記バッテリー４０の上側を貫通して前記バッテリー端子４９０に結合される。
【０１０６】
一方、図３を参照すると、前記掃除機１は、前記吸入モータ２０を通った空気が排出される空気排出口５２２を有するフィルタ機構５０をさらに含むことができる。前記空気排出口５２２は、一例として複数の開口を含み、複数の開口は円周方向に配列される。よって、空気排出口５２２はリング状に配列される。
【０１０７】
前記フィルタ機構５０は、前記本体２の上側に分離可能に結合される。即ち、前記フィルタ機構５０は、前記第２ボディ１２に分離可能に結合される。
【０１０８】
前記フィルタ機構５０が前記本体２に結合された状態で、前記フィルタ機構５０の一部は、前記第２ボディ１２の外側に位置される。よって、前記フィルタ機構５０の一部は、前記本体２の上側開口を通じて本体２の内部に引入され、他の一部は前記本体２の外部に突出する。
【０１０９】
前記本体２の高さは、前記ハンドル３０の高さと実質的に同一である。よって、前記フィルタ機構５０は、前記本体２の上方に突出し、使用者が前記フィルタ機構５０を握った状態で前記フィルタ機構５０を容易に分離することができる。
【０１１０】
前記フィルタ機構５０が前記本体２に結合された状態で、前記フィルタ機構５０の上側に前記空気排出口５２２が位置される。よって、前記吸入モータ２０から排出された空気は、前記本体２の上方に排出される。
【０１１１】
本実施例によれば、掃除機１を利用して掃除する過程で、空気排出口５２２から排出された空気が使用者側に流動することが防止される。
【０１１２】
前記本体２は、前記吸入モータ２０に流入する空気をフィルタリングするためのプレフィルタ２９をさらに含むことができる。前記プレフィルタ２９は、前記流動ガイド２２内に位置される。また、前記プレフィルタ２９は、前記上部モータハウジング２６に安着し、前記上部モータハウジング２６の一部を取囲むことができる。即ち、前記上部モータハウジング２６は、前記プレフィルタ２９を支持するためのフィルタ支持部を含むことができる。
【０１１３】
図６は本発明の一実施例に係る本体においてハンドル部が分離された状態を見せる図面であり、図７は本発明の一実施例に係るハンドル部の斜視図である。
【０１１４】
図６及び図７を参照すると、前記ハンドル部３は、ハンドルボディ３３２と、前記ハンドルボディ３３２をカバーするハンドルカバー３３４を含むことができる。
【０１１５】
前記ハンドルボディ３３２は、前記第１延長部３１０の一部及び第２延長部３２０の一部を形成する。前記ハンドルカバー３３４は、前記第１延長部３１０の残りの一部及び前記第２延長部３２０の残りの一部を形成する。
【０１１６】
即ち、前記ハンドルボディ３３２に前記ハンドルカバー３３４が結合されることで、前記ハンドルボディ３３２と前記ハンドルカバー３３４が前記第１延長部３１０と第２延長部３２０を形成する。
【０１１７】
前記ハンドルボディ３３２は、前記ハンドル３０を形成するだけでなく、前記バッテリーハウジング６０を形成することができる。
【０１１８】
前記ハンドル部３は、前記ハンドル部３を前記本体２に結合させるための本体結合部７０をさらに含むことができる。前記本体結合部７０は、前記ハンドル３０と前記バッテリーハウジング６０を連結することができる。
【０１１９】
前記ハンドル部３は、前記吸入モータ２０を制御するためのメインＰＣＢ(main PCB)ユニット３４０をさらに含むことができる。
【０１２０】
前記メインＰＣＢユニット３４０は、一例として前記第２延長部３２０の内部空間に引入される。
【０１２１】
前記本体２は、コネクタ４００を支持するコネクタ支持部１３６をさらに含むことができる。
【０１２２】
前記コネクタ４００は、前記本体２内に備えられる前記吸入モータ２０と連結される。また、前記コネクタ４００は、前記メインＰＣＢユニット３４０と連結される。前記コネクタ４００は、前記メインＰＣＢユニット３４０から伝達された制御信号を前記吸入モータ２０に伝達する。前記コネクタ４００は、制御信号を伝達するための信号端子を含むことができる。
【０１２３】
前記本体２は、前記コネクタ支持部１３６に前記コネクタ４００が支持された状態で、前記コネクタ４００が上方に分離されることを防止するための分離防止リブ１３６ａをさらに含むことができる。
【０１２４】
前記分離防止リブ１３６ａは、前記コネクタ支持部１３６と離隔して形成される。前記コネクタ支持部１３６と前記分離防止リブ１３６ａとの間の空間に前記コネクタ４００が引入される。一例として、前記コネクタ４００は、水平方向に前記コネクタ支持部１３６にスライディング安着する。
【０１２５】
前記コネクタ支持部１３６及び前記分離防止リブ１３６ａは、一例として前記第２ボディ１２に備えられる。
【０１２６】
前記本体２は、本体端子８０を含み、前記ハンドル部３はハンドル端子９０をさらに含むことができる。前記ハンドル端子９０は、前記メインＰＣＢユニット３４０と連結される。
【０１２７】
前記本体端子８０は、前記本体２に結合されるカバー部材７０に設置される。前記本体端子８０は、前記ハンドル部３が前記本体２に結合されると、前記ハンドル端子９０と連結される。
【０１２８】
前記本体端子８０には、複数の本体電線１４１、１４２が連結される。前記複数の本体電線１４１、１４２は、前記本体端子８０の下側で前記本体端子８０に連結される。
【０１２９】
前記複数の本体電線１４１、１４２は、前記吸入モータ２０に電源を供給するために前記吸入モータ２０に連結される一対の第１電線１４１と、前記吸入部５に連結される一対の第２電線１４２を含むことができる。
【０１３０】
前記複数の本体電線１４１、１４２は、前記本体２に備えられたパッキング１３８を貫通した後に前記本体２内に引入される。
【０１３１】
本実施例によれば、制御信号を伝達する信号端子と電源供給のための制御端子が分離され、本体で別途の位置に配置されることで、本体端子８０のサイズが大きくなることが防止される。
【０１３２】
前記ハンドル部３は、前記本体２と結合されるためのボディ結合部３０４を含むことができ、前記本体２は、前記ボディ結合部３０４と結合されるためのハンドル結合部１３９ａを含むことができる。前記ハンドル部３は、前記ボディ結合部３０４と前記ハンドル結合部１３９ａによって前記本体２に上下方向にスライディング結合される。
【０１３３】
そして、前記ハンドル部３が前記本体２に結合される過程で、前記メインＰＣＢユニット３４０と前記コネクタ４００が連結され、前記ハンドル端子９０が前記本体端子８０と連結される。
【０１３４】
一方、前記ハンドル部３は、多数のハンドル電線９４２、９４４、９４６をさらに含むことができる。前記多数のハンドル電線９４２、９４４、９４６は、前記メインＰＣＢユニット３４０に連結される。
【０１３５】
前記メインＰＣＢユニット３４０は、前記バッテリー４０と連結される。また、前記メインＰＣＢユニット３４０は、前記操作部３９０から操作信号が入力される。前記メインＰＣＢユニット３４０は、入力された操作信号に基づいて、前記吸入モータ２０及び／又は前記吸入部に位置される吸入部端子(図示しない)に電源を供給したり、前記吸入モータ２０の吸入力強度を調節することができる。
【０１３６】
前記多数のハンドル電線９４２、９４４、９４６は、前記ハンドル端子９０に連結され、前記吸入部端子に電源を供給するための第１ハンドル電線９４２と、前記ハンドル端子９０に連結され、前記吸入モータ２０に電源を供給するための第２ハンドル電線９４４を含むことができる。
【０１３７】
前記ハンドル端子９０が前記本体端子８０と連結されると、前記第１ハンドル電線９４２は、前記本体２に備えられる第１本体電線１４１と連結され、前記第２ハンドル電線９４４は、前記本体２に備えられる第２本体電線１４２と連結される。
【０１３８】
前記多数のハンドル電線９４２、９４４、９４６は、前記充電台連結端子６２８と連結される端子連結電線９４６をさらに含むことができる。
【０１３９】
前記ハンドル部３は、前記多数のハンドル電線９４２、９４４、９４６が相互絡まっていない状態で位置されるように、ハンドル電線の位置をガイドする電線ガイド３０９をさらに含むことができる。
【０１４０】
以下では、前記メインＰＣＢユニット３４０の構造及び組立方法に対して説明する。
【０１４１】
以下では、メインＰＣＢユニットの構造に対して詳しく説明する。
【０１４２】
図８は本発明の一実施例に係るメインＰＣＢユニットの斜視図であり、図９は図８のメインＰＣＢユニットの正面図であり、図１０及び図１１は図８のメインＰＣＢユニットの分解斜視図である。図１２は本発明のＰＣＢコネクタの斜視図である。
【０１４３】
図８〜図１２を参照すると、本実施例に係るメインＰＣＢユニット３４０は、メインＰＣＢ３４１を含むことができる。
【０１４４】
前記第２延長部３２０が形成する空間内に前記メインＰＣＢ３４１が位置されるように、前記メインＰＣＢ３４１は複数のＰＣＢに分離して形成される。即ち、前記メインＰＣＢ３４１は第１ＰＣＢ３４２と第２ＰＣＢ３４４を含むことができる。
【０１４５】
前記第１ＰＣＢ３４２と前記第２ＰＣＢ３４４は、立てられた状態で並列するように配置される。前記第１ＰＣＢ３４２と前記第２ＰＣＢ３４４は、水平方向に離隔して配置される。
【０１４６】
前記第１ＰＣＢ３４２と前記第２ＰＣＢ３４４の間には、両ＰＣＢ３４２、３４４を連結させるための１つ以上の連結端子３４８が位置される。
【０１４７】
前記メインＰＣＢユニット３４０は、前記第１ＰＣＢ３４２と前記第２ＰＣＢ３４４を連結するためのＰＣＢコネクタ３５０をさらに含むことができる。
【０１４８】
前記ＰＣＢコネクタ３５０は、機構的に前記第１ＰＣＢ３４２と前記第２ＰＣＢ３４４を連結することができる。
【０１４９】
前記ＰＣＢコネクタ３５０は、前記第１ＰＣＢ３４２と前記第２ＰＣＢ３４４が上側に安着するコネクタボディ３５１を含むことができる。
【０１５０】
前記コネクタボディ３５１は板状に形成される。前記ＰＣＢコネクタ３５０は、前記第１ＰＣＢ３４２と前記第２ＰＣＢ３４４が離隔した状態を維持するための１つ以上のスペーサー３５２をさらに含むことができる。
【０１５１】
このとき、前記１つ以上のスペーサー３５２は、前記コネクタボディ３５１の下面３５１ａから下方に突出する。
【０１５２】
前記１つ以上のスペーサー３５２の両側面には、前記第１ＰＣＢ３４２及び前記第２ＰＣＢ３４４と結合のための結合突起３５３が形成される。そして、前記各ＰＣＢ３４２、３４４には、前記結合突起３５３が結合されるための突起結合部３４６、３４７が備えられる。前記突起結合部３４６、３４７は、溝やホールであってもよい。
【０１５３】
本明細書で、相互結合されたＰＣＢコネクタ３５０と前記メインＰＣＢ３４１をメインＰＣＢ組立体ということができる。
【０１５４】
前記ＰＣＢコネクタ３５０の結合突起３５３が前記各ＰＣＢ３４２、３４４の突起結合部３４６、３４７に結合された状態で、前記コネクタボディ３５１が前記第１ＰＣＢ３４２及び前記第２ＰＣＢ３４４の上面に安着するように、前記１つ以上のスペーサー３５２の幅は前記コネクタボディ３５１の幅より小さく形成される。
【０１５５】
また、前記１つ以上のスペーサー３５２は、前記コネクタボディ３５１の幅方向端部３５１ｂ、３５１ｃから離隔するように配置される。
【０１５６】
前記ＰＣＢコネクタ３５０の結合突起３５３が前記各ＰＣＢ３４２、３４４の突起結合部３４６、３４７に結合された状態で、前記コネクタボディ３５１が前記第１ＰＣＢ３４２と前記第２ＰＣＢ３４４の上面に安着すると、前記メインＰＣＢユニット３４０の高さが減る長所がある。
【０１５７】
もちろん、前記ＰＣＢコネクタ３５０の結合突起３５３が前記各ＰＣＢ３４２、３４４の突起結合部３４６、３４７に結合された状態で、前記コネクタボディ３５１が前記第１ＰＣＢ３４２と前記第２ＰＣＢ３４４の上面と離隔することも可能である。
【０１５８】
また、前記１つ以上のスペーサー３５２が前記コネクタボディ３５１の幅方向端部３５１ｂ、３５１ｃから離隔するように配置される場合には、前記ＰＣＢコネクタ３５０の結合突起３５３が前記各ＰＣＢ３４２、３４４の突起結合部３４６、３４７に結合された状態で、前記メインＰＣＢユニット３４０の幅が減る長所がある。
【０１５９】
前記ＰＣＢコネクタ３５０が複数のスペーサー３５２を含む場合には、複数のスペーサー３５２は、前記コネクタボディ３５１の長さ方向に離隔して配列される。
【０１６０】
前記ＰＣＢコネクタ３５０は、前記ハンドルボディ３３２と結合されるための結合フック３５７を含むことができる。
【０１６１】
このとき、前記結合フック３５７は、前記コネクタボディ３５１から水平方向に延長される。
【０１６２】
前記結合フック３５７による前記ＰＣＢコネクタ３５０と前記ハンドルボディ３３２の結合過程で、前記結合フック３５７が破損することが防止されるように、前記コネクタボディ３５１の下面３５１ａには補強リブ３５４が備えられる。
【０１６３】
前記補強リブ３５４は、限定されるものではないが、前記コネクタボディ３５１の下面３５１ａから突出し、前記結合フック３５７と前記１つ以上のスペーサー３５２を連結することができる。
【０１６４】
なお、前記ＰＣＢコネクタ３５０が複数のスペーサー３５２を含む場合には、前記補強リブ３５４は、前記複数のスペーサー３５２のうち前記結合フック３５７と最も近いスペーサー３５２と前記結合フック３５７を連結することができる。
【０１６５】
前記第１ＰＣＢ３４２と前記第２ＰＣＢ３４４のいずれか１つは、前記掃除機１の状態を表示するための発光部３７０が設置される。
【０１６６】
図１１には、一例として前記第２ＰＣＢ３４４に前記発光部３７０が設置されるものが図示される。前記発光部３７０は１つ以上のＬＥＤを含むことができる。一例として、図１１には、前記発光部３７０が前記コネクタボディ３５１の長さ方向と並列する方向に離隔して配置される複数のＬＥＤ３７１、３７２、３７３を含むものが図示される。
【０１６７】
限定されるものではないが、前記複数のＬＥＤ３７１、３７２、３７３を利用して、前記バッテリー４０の残量、前記吸入モータ２０の吸入力の強度等を表示することができる。
【０１６８】
前記コネクタボディ３５１には、前記複数のＬＥＤ３７１、３７２、３７３から照射された光が通過するための複数の光開口３５５が備えられる。
【０１６９】
前記複数の光開口３５５は、前記コネクタボディ３５１の長さ方向に離隔して配置され、前記ＰＣＢコネクタ３５０が前記各ＰＣＢ３４２、３４４と連結されると、前記複数の光開口３５５は、前記複数のＬＥＤ３７１、３７２、３７３と整列する。
【０１７０】
前記１つ以上のスペーサー３５２が前記複数のＬＥＤ３７１、３７２、３７３から照射される光と干渉しないように、前記１つ以上のスペーサー３５２は隣接する両光開口３７５の間の領域に位置される。
【０１７１】
この場合、前記スペーサー３５２が前記各ＬＥＤ３７１、３７２、３７３から照射された光と干渉しないだけではなく、隣接した両ＬＥＤから照射される光間の相互干渉が防止されるようにする役割をする。即ち、前記スペーサー３５２は、隣接する両ＬＥＤから照射される光の経路を区画する役割をする。
【０１７２】
前記各ＰＣＢ３４２、３４４は、パワーＰＣＢ(Power PCB)３８０を支持するための延長部３４３、３４５を含むことができる。前記延長部３４３、３４５は、前記パワーＰＣＢ３８０を傾斜した状態で支持するための傾斜面３４３ａ、３４５ａを含むことができる。
【０１７３】
前記第１ＰＣＢ３４２と前記第２ＰＣＢ３４４のいずれか１つには、前記パワーＰＣＢ３８０と連結されるための第１連結端子３４９が備えられる。
【０１７４】
図１１には、一例として前記第１連結端子３４９が前記第１ＰＣＢ３４２の第１延長部３４３に位置されるものが図示される。
【０１７５】
前記第１ＰＣＢ３４２と前記第２ＰＣＢ３４４のいずれか１つは、前記本体２０に設置されるコネクタ４００と連結される。
【０１７６】
以下では、一例として前記コネクタ４００が前記第２ＰＣＢ３４４に連結されることに対して説明する。
【０１７７】
前記メインＰＣＢユニット３４０は、前記各ＰＣＢ３４２、３４４と前記ＰＣＢコネクタ３５０の上側をカバーするＰＣＢカバー３６０をさらに含むことができる。
【０１７８】
前記ＰＣＢカバー３６０は、前記ＰＣＢコネクタ３５０の上面をカバーする上面部３６１と、前記上面部３６１の両端から下方に延長される一対の側面部３６２、３６３を含むことができる。
【０１７９】
前記一対の側面部３６２、３６３は、前記ＰＣＢコネクタ３５０をカバーするだけでなく、前記各ＰＣＢ３４２、３４４上側一部をカバーすることができる。
【０１８０】
前記一対の側面部３６２、３６３によって、前記ＰＣＢコネクタ３５０と連結された各ＰＣＢ３４２、３４４が前記ハンドル３０内で水平方向に移動することが防止される。
【０１８１】
前記ＰＣＢカバー３６０は、前記コネクタボディ３５１の複数の光開口３５５をカバーする。このとき、前記複数の光開口３５５を通過した光が前記ＰＣＢカバー３６０を透過できるように、前記ＰＣＢカバー３６０には複数の光透過部３６４が備えられる。前記複数の光透過部３６４の個数は、前記複数の光開口３５５と同一であり、前記複数の光開口３５５と対向するように配置される。
【０１８２】
前記複数の光透過部３６４は、前記ＰＣＢカバー３６０の上面部３６１から上方に突出する。
【０１８３】
前記ＰＣＢカバー３６０において、少なくとも複数の光透過部３６４は透明または半透明であってもよい。
【０１８４】
一方、前記第２ＰＣＢ３４４は、前記コネクタと電気的に連結されるための複数の接触パッドを含むことができる。
【０１８５】
前記複数の接触パッドは、前記第２ＰＣＢ３４４の両面のそれぞれに備えられる。
【０１８６】
前記複数の接触パッドは、前記第２ＰＣＢ３４４の第１面３４４０ａに備えられる１つ以上の第１パッド３４４２と、前記第１パッド３４４２と離隔して配置される第２パッド３４４４を含むことができる。前記第１パッド３４４２と前記第２パッド３４４４は、一例として水平方向に離隔して配置される。
【０１８７】
また、前記複数の接触パッドは、前記第２ＰＣＢ３４４の第１面３４４０ａの反対面である第２面３４４０ｂに備えられる１つ以上の第３パッド３４４３と、前記第３パッド３４４３と離隔して配置される第４パッド３４４５をさらに含むことができる。前記第３パッド３４４３と前記第４パッド３４４５は、一例として水平方向に離隔して配置される。
【０１８８】
そして、前記第２ＰＣＢ３４４の上で前記第１パッド３４４２と前記第３パッド３４４３は、相互対向するように配置され、前記第２パッド３４４４と第４パッド３４４５は、相互対向するように配置される。
【０１８９】
前記第２ＰＣＢ３４４には、定位置で前記第２ＰＣＢ３４４と前記コネクタ４００が結合されるためのスリット３４４１が備えられる。
【０１９０】
前記スリット３４４１は、前記第１パッド３４４２と前記第２パッド３４４４の間に位置される。よって、前記スリット３４４１は、前記第３パッド３４４３と前記第４パッド３４４５の間にも位置される。前記スリット３４４１は、前記複数のパッドが形成される第２ＰＣＢ３４４の一端部が切開されで形成される。
【０１９１】
図１３は本発明の一実施例に係るコネクタの斜視図であり、図１４は図１３のコネクタの平面図であり、図１５はメインＰＣＢユニットがコネクタが連結された状態を見せる斜視図であり、図１６は第２ＰＣＢとコネクタが連結された状態を見せる断面図である。
【０１９２】
図１３〜図１６を参照すると、本実施例のコネクタ４００は、第１コネクティングボディ４１０と、前記第１コネクティングボディ４１０と離隔する第２コネクティングボディ４２０と、前記第１コネクティングボディ４１０と前記第２コネクティングボディ４２０を連結する連結ボディ４３０を含むことができる。
【０１９３】
前記第２ＰＣＢ３４４が前記コネクタ４００の上方から下方に前記コネクタ４００に結合されるために、前記連結ボディ４３０は、前記第１コネクティングボディ４１０と前記第２コネクティングボディ４２０の下側を連結することができる。
【０１９４】
よって、前記第１コネクティングボディ４１０と前記第２コネクティングボディ４２０の間には、前記第２ＰＣＢ３４４が収容されるためのＰＣＢ収容空間４５０が定義される。
【０１９５】
前記第１コネクティングボディ４１０から前記第２コネクティングボディ４２０に対向する、一面には１つ以上の第１コネクティングピン４４２と、前記第１コネクティングピン４４２と離隔する第２コネクティングピン４４３が備えられる。前記第１コネクティングピン４４２と前記第２コネクティングピン４４３は、水平方向に離隔して配置される。
【０１９６】
前記第２コネクティングボディ４２０から前記第１コネクティングボディ４１０に対向する、一面には１つ以上の第３コネクティングピン４４４と、前記第３コネクティングピン４４４と離隔する第４コネクティングピン４４５が備えられる。前記第３コネクティングピン４４４と前記第４コネクティングピン４４５は、水平方向に離隔して配置される。
【０１９７】
前記第１コネクティングピン４４２と前記第３コネクティングピン４４４は、相互離隔した位置で対向するように配置される。前記第２コネクティングピン４４３と前記第４コネクティングピン４４５は、相互離隔した位置で対向するように配置される。
【０１９８】
前記各コネクティングピン４４２〜４４５の一部は、前記各コネクティングボディ４１０、４２０の内部に位置され、他の一部は、前記各コネクティングボディ４１０、４２０から前記ＰＣＢ収容空間４５０に突出する。
【０１９９】
前記各コネクティングピン４４２〜４４５は、一例として弾性変形可能な伝導体として、前記各コネクティングピン４４２〜４４５が前記各コネクティングボディ４１０、４２０から突出した状態で、外力によって前記各コネクティングボディ４１０、４２０の内側に引入される方向に移動する。
【０２００】
または、前記各コネクティングピン４４２〜４４５は伝導体として、前記各コネクティングボディ４１０、４２０に位置が固定されるように設置される。
【０２０１】
前記ＰＣＢ収容空間４５０には、前記第２ＰＣＢ３４４のスリット３４４１に挿入されるためのスリット挿入突起４１２が備えられる。
【０２０２】
前記スリット挿入突起４１２は、前記第１コネクティングピン４４２と前記第２コネクティングピン４４３の間の領域に位置される。よって、前記スリット挿入突起４１２は、前記第３コネクティングピン４４４と第４コネクティングピン４４５の間の領域に位置される。
【０２０３】
前記スリット挿入突起４１２は、前記連結ボディ４３０から前記ＰＣＢ収容空間４５０に突出する。一例として、前記スリット挿入突起４１２は、前記連結ボディ４３０から上方に突出する。
【０２０４】
または、前記スリット挿入突起４１２は、前記各コネクティングボディ４１０、４２０のいずれか１つに備えられ、他の１つに向かって突出する。または、前記スリット挿入突起４１２は、前記第１コネクティングボディ４１０と第２コネクティングボディ４２０を連結することができる。
【０２０５】
前記第１コネクティングボディ４１０と第２コネクティングボディ４２０のいずれか１つには、図６で説明された分離防止リブ１３６ａが安着する突起安着部４１４が備えられる。図１３には、一例として前記第１コネクティングボディ４１０に突起安着部４１４が備えられるものが図示される。
【０２０６】
一方、前記第２ＰＣＢ３４４は、前記コネクティングボディ４００の上方から下方に前記ＰＣＢ収容空間４５０に収容される。
【０２０７】
前記第２ＰＣＢ３４４が前記ＰＣＢ収容空間４５０に収容される過程で、前記スリット挿入突起４１２が前記第２ＰＣＢ３４４のスリット３４４１に挿入される。
【０２０８】
このように、前記スリット挿入突起４１２が前記第２ＰＣＢ３４４のスリット３４４１に収容された状態は、前記第２ＰＣＢ３４４が前記コネクタ４００に正常に連結される状態である。
【０２０９】
この状態で、図１６のように、前記各パッド３４４２〜３４４５が各コネクティングピン４４２〜４４５に定位置で接触することになる。
【０２１０】
本発明によれば、前記スリット挿入突起４１２が前記第２ＰＣＢ３４４のスリット３４４１に収容されて各パッド３４４２〜３４４５が各コネクティングピン４４２〜４４５に接触することになるので、前記第２ＰＣＢ３４４とコネクタ４００の誤組立が防止される長所がある。
【０２１１】
また、前記第２ＰＣＢ３４４とコネクタ４００の誤組立が防止されることで、隣接する２つのパッドが一コネクティングピンによって連結されることによるショートが発生することが防止される。
【０２１２】
本発明によれば、２つのコネクティングボディ４１０、４２０の間に第２ＰＣＢ３４４が挿入され、前記スリット挿入突起４１２が前記第２ＰＣＢ３４４のスリット３４４１に収容されるように構成されることで、前記第２ＰＣＢ３４４と前記コネクタ４００の固定のためのフックのような追加的な固定手段が不必要な長所がある。
【０２１３】
また、本発明で、前記第１コネクティングピン４４２と第３コネクティングピン４４４は同じ役割をし、第２コネクティングピン４４３と第４コネクティングピン４４５は同じ役割をする。
【０２１４】
また、前記第２ＰＣＢ３４４で、第１パッド３４４２と第３パッド３４４３は同じ役割をし、第２パッド３４４４と第４パッド３４４５は同じ役割をする。
【０２１５】
よって、前記第２ＰＣＢ３４４の両面にパッド３４４２〜３４４５が備えられ、第２ＰＣＢ３４４を２つのコネクティングボディ４１０、４２０の間に挿入することで、第２ＰＣＢ３４４の両面のパッド３４４２〜３４４５のうち一面のパッド３４４２〜３４４５がコネクティングピン４４２〜４４５に連結されさえすれば信号伝達が可能であるので、第２ＰＣＢ３４４とコネクタ４００の連結精度が向上する。
【０２１６】
このとき、前記第２ＰＣＢ３４４とコネクタ４００の結合力が向上するように、前記スリット挿入突起４１２に楔を形成し、前記スリット３４４１に楔を結合するための追加的な溝を形成してもよい。
【０２１７】
図１７は本発明の一実施例に係るハンドルボディの斜視図であり、図１８はハンドルの内部構造を見せる断面図であり、図１９はハンドルボディにメインＰＣＢユニットが結合された状態の断面図であり、図２０はハンドルボディにメインＰＣＢユニットが結合された状態でパワーＰＣＢが支持リブに安着した様子を見せる図面であり、図２１は図２０の状態でハンドルカバー及び操作部が結合される様子を見せる図面である。
【０２１８】
図２２は本発明の一実施例に係るハンドル部の組立が完了した状態で、ハンドル部が本体に結合される様子を見せる図面である。
【０２１９】
図８〜図２２を参照すると、前記ハンドルボディ３３２には、前記メインＰＣＢユニット３４０が収容されるための収容空間３２２が形成される。前記収容空間３２２は、実質的に前記第２延長部３２０内に形成される空間である。
【０２２０】
前記ハンドルボディ３３２は、前記メインＰＣＢユニット３４０を支持するサポータ３２４を含むことができる。
【０２２１】
前記サポータ３２４は、前記メインＰＣＢユニット３４０が安着する安着面３２４ａと、前記安着面３２４ａに安着した第１ＰＣＢ３４２を支持する第１リブ３２４ｂと、前記安着面３２４ａに安着した第２ＰＣＢ３４４を支持する第２リブ３２４ｃを含むことができる。
【０２２２】
前記各リブ３２４ｂ、３２４ｃは、前記安着面３２４ａから上方に突出する。
【０２２３】
前記第１リブ３２４ｂと前記第２リブ３２４ｃによって、前記サポータ３４２に支持された前記メインＰＣＢユニット３４０が、図１６を基準に左右方向に移動することが防止される。
【０２２４】
また、前記第１リブ３２４ｂと前記第２リブ３２４ｃは、メインＰＣＢ組立体を前記ハンドルボディ３３２の収容空間３２２に収容する過程で、前記メインＰＣＢ組立体の引入をガイドする。
【０２２５】
前記ハンドルボディ３３２は、前記ＰＣＢカバー３６０の複数の光透過部３６４が挿入されるための複数の挿入ホール３２７をさらに含むことができる。
【０２２６】
前記複数の光透過部３６４が前記複数の挿入ホール３２７に挿入された状態で、前記複数の光透過部３６４は、前記ハンドル３０の外部に露出する。よって、前記複数の光透過部３６４によって複数のＬＥＤ３７１、３７２、３７３から照射される光を使用者が肉眼で確認することができる。
【０２２７】
本実施例の場合、前記複数の光透過部３６４が前記複数の挿入ホール３２７に挿入されるので、外部の水分や異質物が前記複数の挿入ホール３２７を通じて前記メインＰＣＢ３４１側に移動することが防止される。
【０２２８】
前記ハンドルボディ３３２は、前記収容空間３２２に前記メインＰＣＢ組立体が収容される過程で、前記ＰＣＢコネクタ３５０と結合されるコネクタ結合部３２５をさらに含むことができる。
【０２２９】
前記コネクタ結合部３２５には、前記ＰＣＢコネクタ３５０の結合フック３５７が貫通するための貫通ホール３２５ａと、前記貫通ホール３２５ａを貫通した結合フック３５７が引っかかるフック係止リブ３２５ｂが備えられる。
【０２３０】
一方、前記パワーＰＣＢ３８０は、前記操作部３９０の操作命令を受けるための第１スイッチ３８２と第２スイッチ３８４を含むことができる。限定されるものではないが、前記第１スイッチ３８２は、前記吸入モータ２０のオンまたはオフ命令を受けることができ、前記第２スイッチ３８４は、前記吸入モータ２０の吸入力強度調節のための命令を受ける。
【０２３１】
前記ハンドルボディ３３２は、前記パワーＰＣＢ３８０を支持するための支持リブ３２６をさらに含むことができる。前記支持リブ３２６は、前記コネクタ結合部３２５から下方に延長される。
【０２３２】
前記支持リブ３２６は、前記パワーＰＣＢ３８０が傾斜した状態に配置されるようにするための傾斜面３２６ａを含むことができる。よって、前記パワーＰＣＢ３８０が前記傾斜面３２６ａに支持された状態で、前記第１スイッチ３８２と前記第２スイッチ３８４の高さは異なる。
【０２３３】
前記メインＰＣＢユニット３４０が前記ハンドルボディ３３２に結合されると、前記第１ＰＣＢ３４２と前記第２ＰＣＢ３４４の間に前記支持リブ３２６が位置される。このとき、前記メインＰＣＢユニット３４０の結合過程で、前記支持リブ３２６によってメインＰＣＢ３４１が損傷することが防止されるように、前記支持リブ３２６は、前記第１ＰＣＢ３４２及び第２ＰＣＢ３４４のそれぞれと離隔する。
【０２３４】
前記支持リブ３２６の傾斜面３２６ａの傾斜角度は、前記各ＰＣＢ３４２、３４４の延長部３４３、３４５の傾斜面３４３ａ、３４５ａの傾斜角度と同一である。
【０２３５】
よって、前記各ＰＣＢ３４２、３４４の傾斜面３４３ａ、３４５ａ及び前記支持リブ３２６の傾斜面３２６ａが前記パワーＰＣＢ３８０を支持することができる。
【０２３６】
もちろん、前記支持リブ３２６の傾斜面３２６ａに前記パワーＰＣＢ３８０が接触した状態で、前記各ＰＣＢ３４２、３４４の傾斜面３４３ａ、３４５ａが前記パワーＰＣＢ３８０と離隔することも可能である。
【０２３７】
前記支持リブ３２６の傾斜面３２６ａに接触した前記パワーＰＣＢ３８０が、図１５を基準に左右方向に移動することを防止するために、前記ハンドルボディ３３２は、前記パワーＰＣＢ３８０を貫通する係止リブ３２６ｂをさらに含むことができる。そして、前記パワーＰＣＢ３８０には、前記係止リブ３２６ｂが貫通するためのスリット３８６が形成される。
【０２３８】
前記係止リブ３２６ｂは、前記支持リブ３２６の下側に位置される。前記パワーＰＣＢ３８０が前記支持リブ３２６の傾斜面３２６ａに安着すると、前記係止リブ３２６ｂが前記スリット３８６に係止されるので、前記パワーＰＣＢ３８０の組立過程で前記パワーＰＣＢ３８０が前記支持リブ３２６の傾斜面３２６ａに沿って下側に滑ることが防止される。
【０２３９】
前記ハンドルボディ３３２は、前記支持リブ３２６に安着した前記パワーＰＣＢ３８０の上方移動を防止するための上部ストッパー３２８をさらに含むことができる。
【０２４０】
前記ハンドルボディ３３２はスクリュのような締結部材(図示しない)によって前記支持リブ３２６に安着した前記パワーＰＣＢ３８０と締結されるための締結ボス３２９をさらに含むことができる。
【０２４１】
前記パワーＰＣＢ３８０には、前記締結部材が貫通するための貫通ホール３８１が形成される。
【０２４２】
一方、前記操作部３９０は、前記ハンドルカバー３３４に締結されるための支持フレーム３９６と、前記支持フレーム３９６に結合される操作ボタン３９１を含むことができる。
【０２４３】
前記操作ボタン３９１は、前記第１スイッチ３８２を押すための第１プッシー部３９２と、前記第２スイッチ３８４を押すための第２プッシー部３９４を含むことができる。即ち、１つの操作ボタン３９１が２つのプッシー部３９２、３９４を含むことができる。
【０２４４】
本発明の場合、前記第１スイッチ３８２と前記第２スイッチ３８４が相互異なる高さに配置され、前記パワーＰＣＢ３８０が傾斜するので、使用者が前記ハンドル３０を把持した状態で、１つの指で前記操作ボタン３９１を操作して前記第１スイッチ３８２を押したり第２スイッチ３８４を押すことができる。よって、使用者の操作便宜性が向上する。
【０２４５】
以下では、メインＰＣＢユニット３４０とパワーＰＣＢ３８０の組立過程に対して説明する。
【０２４６】
まず、前記ハンドルボディ３３２の収容空間３２２に前記ＰＣＢカバー３６０を引入した状態で、前記ＰＣＢカバー３６０の光透過部３６４が前記ハンドルボディ３３２の挿入ホール３２７に挿入されるようにする。
【０２４７】
そして、前記第１ＰＣＢ３４２と前記第２ＰＣＢ３４４を前記ＰＣＢコネクタ３５０に連結してメインＰＣＢ組立体を完成し、前記メインＰＣＢ組立体を前記ＰＣＢカバー３６０と前記ハンドルボディ３３２のサポータ３２４の間の空間に挿入する。
【０２４８】
前記メインＰＣＢ組立体の挿入過程で、前記ＰＣＢカバー３６０の一対の側面部３６２、３６３と前記サポータ３２４の第１及び第２リブ３２４ｂ、３２４ｂは、前記メインＰＣＢ組立体の挿入をガイドする。
【０２４９】
前記メインＰＣＢ組立体が前記ハンドルボディ３３２の収容空間３２２に挿入される過程で、前記ＰＣＢコネクタ３５０の結合フック３５７が前記フック貫通ホール３２５ａを貫通してフック係止リブ３２５ｂに係止されると、前記メインＰＣＢ組立体の組立が完了する。
【０２５０】
この状態で、図２０のように、前記パワーＰＣＢ３８０を前記支持リブ３２６に安着させた状態で、前記締結部材を利用して前記パワーＰＣＢ３８０を前記ハンドルボディ３３２に固定することができる。
【０２５１】
前記パワーＰＣＢ３８０は、実質的に前記メインＰＣＢ３４１と同じ高さで前記ハンドルボディ３３２に固定される。
【０２５２】
次に、図２１のように、前記ハンドルボディ３３２にハンドルカバー３３４を結合させた後、前記ハンドルカバー３３４に前記操作部３９０を結合させることができる。
【０２５３】
そして、図２２のように、前記ハンドル部３を前記本体２と整列させた後、前記ハンドル部３を下方にスライディングさせると、前記ハンドル部３が前記本体２に固定される。
【０２５４】
また、前記メインＰＣＢが２つのＰＣＢに区分された状態で、前記ハンドルボディ内に収容されるので、メインＰＣＢのサイズが減る長所がある。
【０２５５】
特に、前記２つのＰＣＢが平行した状態及び立てられた状態で前記ハンドルボディに収容されるので、メインＰＣＢユニットのサイズが最小化される長所がある。
【０２５６】
また、２つのＰＣＢをＰＣＢコネクタに連結した状態で、メインＰＣＢ組立体をハンドルボディの収容空間に挿入させる過程で前記メインＰＣＢ組立体が前記ハンドルボディに結合されるので、２つのＰＣＢを相互固定するための構造及び２つのＰＣＢを前記ハンドルボディに固定するための構造が簡単となり、使用者の組立過程が容易である長所がある。
【０２５７】
また、前記ハンドル部３が前記本体２に対してスライディングされる過程で、前記第２ＰＣＢ３４４が前記コネクタに連結されるので、前記第２ＰＣＢ３４４をコネクタに連結するための過程が不必要な長所がある。
【図１】
2019523106.tif 000003
【図２】
2019523106.tif 000004
【図３】
2019523106.tif 000005
【図４】
2019523106.tif 000006
【図５】
2019523106.tif 000007
【図６】
2019523106.tif 000008
【図７】
2019523106.tif 000009
【図８】
2019523106.tif 000010
【図９】
2019523106.tif 000011
【図１０】
2019523106.tif 000012
【図１１】
2019523106.tif 000013
【図１２】
2019523106.tif 000014
【図１３】
2019523106.tif 000015
【図１４】
2019523106.tif 000016
【図１５】
2019523106.tif 000017
【図１６】
2019523106.tif 000018
【図１７】
2019523106.tif 000019
【図１８】
2019523106.tif 000020
【図１９】
2019523106.tif 000021
【図２０】
2019523106.tif 000022
【図２１】
2019523106.tif 000023
【図２２】
2019523106.tif 000024
【国際調査報告】
2019523106.tif 000025
2019523106.tif 000026
2019523106.tif 000027
2019523106.tif 000028